(57)【要約】【課題】錫めっき皮膜のウィスカーの発生を防止する熱処理時間をより短縮し、製品の生産性を向上させることを目的とする。【解決手段】可溶性錫塩と、錯化剤と、酸を含む無電解錫めっき液において、分子内に３つ以上のヒドロキシル基を有する水溶性の脂肪族アルコール（但し脂肪族基中にエーテル結合を含んでいてもよい）を含有することを特徴とする無電解錫めっき液。及び該無電解錫めっき液に少なくとも表面に銅を有する被めっき物浸漬した後、１１０〜１３０℃の条件下で４０〜７５分熱処理を行い、得られる錫めっき皮膜中の純錫層の厚さを０．１００〜０．２５０μｍとすることを特徴とする錫めっき皮膜を有するめっき物の製造方法。【選択図】なし【特許請求の範囲】
【請求項１】
可溶性錫塩と、錯化剤と、酸を含む無電解錫めっき液において、分子内に３つ以上のヒドロキシル基を有する水溶性の脂肪族アルコール（但し脂肪族基中にエーテル結合を含んでいてもよい）を含有することを特徴とする無電解錫めっき液。
【請求項２】
前記分子内に３つ以上のヒドロキシル基を有する水溶性の脂肪族アルコールが、グリセリン、エリスリトール、ペンタエリスリトール、及びジペンタエリスリトールから選択される１種もしくは２種以上であることを特徴とする請求項１記載の無電解錫めっき液。
【請求項３】
前記分子内に３つ以上のヒドロキシル基を有する水溶性の脂肪族アルコールが３〜１００ｇ／Ｌ含有されることを特徴とする請求項１又は２記載の無電解錫めっき液。
【請求項４】
無電解錫めっき液に少なくとも表面に銅を有する被めっき物を浸漬した後、熱処理を行うことにより得られる錫めっき皮膜を有するめっき物の製造方法であって、請求項１〜３のいずれか一項に記載の無電解錫めっき液を用い、１１０〜１３０℃の条件下で４０〜７５分熱処理を行い、得られる錫めっき皮膜中の純錫層の厚さを０．１００〜０．２５０μｍとすることを特徴とする錫めっき皮膜を有するめっき物の製造方法。
【請求項５】
無電解錫めっき液に少なくとも表面に銅を有する被めっき物を浸漬した後、熱処理を行うことにより得られる錫めっき皮膜を有するめっき物であって、請求項１〜３のいずれか一項に記載の無電解錫めっき液を用い、１１０〜１３０℃の条件下で４０〜７５分熱処理を行い、得られる錫めっき皮膜中の純錫層の厚さが０．１００〜０．２５０μｍであることを特徴とする錫めっき皮膜を有するめっき物。
【請求項６】
請求項５に記載のめっき物を有することを特徴とする電子部品。
【請求項７】
前記電子部品がプリント配線基板であることを特徴とする請求項６に記載の電子部品。
【請求項８】
前記電子部品がＴＡＢフィルムキャリアであることを特徴とする請求項６に記載の電子部品。
【請求項９】
前記電子部品がウェハ基板であることを特徴とする請求項６に記載の電子部品。
【請求項１０】
前記電子部品がコネクタであることを特徴とする請求項６に記載の電子部品。
【発明の詳細な説明】
【技術分野】
【０００１】
本発明は無電解錫めっき液、該めっき液を用いて得られるめっき皮膜を有するめっき物、及びその製造方法に関する。
【背景技術】
【０００２】
無電解錫めっきは、従来、フレキシブル基板への錫めっき処理方法として広く用いられてきた。
又、近年では鉛フリー化の動きからリジッドプリント基板の最終表面処理方法として、無電解錫めっきプロセスが注目を浴びつつある。しかし、錫めっきは電気めっき・無電解めっきを問わず、室温下で放置されることにより、ウィスカーと呼ばれるひげ状単結晶が発生するという現象が見られる。ウィスカーの発生するめっき皮膜を電子部品等に用いると、回路や端子のショートを引き起こし、電子部品等の製品の性能や信頼性を著しく低下させる結果となり、問題となっている。
上記のように、ウィスカーはめっき製品において大きな問題となるため、ウィスカーの発生を防止する目的で無電解錫めっきにより得られためっき層を熱処理し、得られるめっき皮膜の純錫層の厚さを制御することが一般に行われている。特にＴＡＢフィルムキャリアの製造においては、一般的には０．３〜０．６μｍの無電解錫めっき層をめっきしてから、１００〜１３０℃程度の条件で２〜３時間程度の熱処理を行うことにより、０．１００〜０．２５０μｍ程度の純錫層にする必要があり、この処理時間の長さが製品の生産性を上げる上で大きなボトルネックとなっていた。
【発明の概要】
【発明が解決しようとする課題】
【０００３】
本発明は、錫めっき皮膜のウィスカーの発生を防止する熱処理時間をより短縮し、製品の生産性を向上させることを目的とする。
【課題を解決するための手段】
【０００４】
本発明者らは、上記課題について鋭意検討を行ったところ、無電解錫めっき液に分子内に３つ以上のヒドロキシル基を有する水溶性の脂肪族アルコール（但し脂肪族基中にエーテル結合を含んでいてもよい）を添加することにより、錫めっき皮膜のウィスカーの発生を防止する熱処理時間をより短縮することができ、製品の生産性を向上させることができることを見出し本発明に至った。
すなわち、本発明は以下のとおりである。
（１）可溶性錫塩と、錯化剤と、酸を含む無電解錫めっき液において、分子内に３つ以上のヒドロキシル基を有する水溶性の脂肪族アルコール（但し脂肪族基中にエーテル結合を含んでいてもよい）を含有することを特徴とする無電解錫めっき液。
（２）前記分子内に３つ以上のヒドロキシル基を有する水溶性の脂肪族アルコールが、グリセリン、エリスリトール、ペンタエリスリトール、及びジペンタエリスリトールから選択される１種もしくは２種以上であることを特徴とする前記（１）記載の無電解錫めっき液。
（３）前記分子内に３つ以上のヒドロキシル基を有する水溶性の脂肪族アルコールが３〜１００ｇ／Ｌ含有されることを特徴とする請求項１又は２記載の無電解錫めっき液。
（４）無電解錫めっき液に少なくとも表面に銅を有する被めっき物を浸漬した後、熱処理を行うことにより得られる錫めっき皮膜を有するめっき物の製造方法であって、前記（１）〜（３）のいずれか一項に記載の無電解錫めっき液を用い、１１０〜１３０℃の条件下で４０〜７５分熱処理を行い、得られる錫めっき皮膜中の純錫層の厚さを０．１００〜０．２５０μｍとすることを特徴とする錫めっき皮膜を有するめっき物の製造方法。
（５）無電解錫めっき液に少なくとも表面に銅を有する被めっき物を浸漬した後、熱処理を行うことにより得られる錫めっき皮膜を有するめっき物であって、前記（１）〜（３）のいずれか一項に記載の無電解錫めっき液を用い、１１０〜１３０℃の条件下で４０〜７５分熱処理を行い、得られる錫めっき皮膜中の純錫層の厚さが０．１００〜０．２５０μｍであることを特徴とする錫めっき皮膜を有するめっき物。
（６）前記（５）に記載のめっき物を有することを特徴とする電子部品。
（７）前記電子部品がプリント配線基板であることを特徴とする前記（６）に記載の電子部品。
（８）前記電子部品がＴＡＢフィルムキャリアであることを特徴とする前記（６）に記載の電子部品。
（９）前記電子部品がウェハ基板であることを特徴とする前記（６）に記載の電子部品。
（１０）前記電子部品がコネクタであることを特徴とする前記（６）に記載の電子部品。
【発明の効果】
【０００５】
本発明の無電解錫めっき液を用いることにより、無電解錫めっきにより形成されためっき層を熱処理して得られる錫めっき皮膜の該ウィスカーの発生を防止する熱処理時間をより短縮し、製品の生産性を向上させることができる。
【発明を実施するための形態】
【０００６】
本発明の無電解錫めっき液は、可溶性錫塩と、錯化剤と、酸を含み、さらに分子内に３つ以上のヒドロキシル基を有する水溶性の脂肪族アルコール（但し脂肪族基中にエーテル結合を含んでいてもよい）を含有する。
前記分子内に３つ以上のヒドロキシル基を有する水溶性の脂肪族アルコールを含有することにより、ウィスカーの発生を防止する熱処理時間を短縮する効果がある。分子内に３つ以上のヒドロキシル基を有する水溶性の脂肪族アルコールの錫イオンへの影響により、錫めっき層の析出状態にも影響を及ぼし、その結果より短い熱処理時間により、より薄い純錫層を達成することができたと考えられる。分子内のヒドロキシル基が２つ以下の脂肪族アルコールを用いた場合は、ウィスカー防止効果が十分に得られない。
分子内に３つ以上のヒドロキシル基を有する水溶性の脂肪族アルコールとしては、脂肪族基中にエーテル結合を有していてもよく、例えばグリセリン、エリスリトール、ペンタエリスリトール、ジペンタエリスリトール、トリメチロールプロパン、トリメチロールエタン等が挙げられ、グリセリン、エリスリトール、ペンタエリスリトール、ジペンタエリスリトールを好ましく用いることができる。
これらは１種もしくは２種以上を併用して用いることができる。
無電解錫めっき液における上記分子内に３つ以上のヒドロキシル基を有する水溶性の脂肪族アルコールの含有量は３〜１００ｇ／Ｌが好ましく、５〜８５ｇ／Ｌがより好ましい。上記分子内に３つ以上のヒドロキシル基を有する水溶性の脂肪族アルコールの含有量が３ｇ／Ｌ未満であると十分な効果が得られず、１００ｇ／Ｌを超えてもめっき液の持ち出しによるコストが増えるだけで、メリットがない。
【０００７】
めっき液に用いる可溶性錫塩、錯化剤、酸としては公知のものを用いることができる。
可溶性錫塩としては、任意の可溶性の第一錫塩類を用いることができ、錫の酸化物、塩化物、ホウフッ化物、硫酸塩及び有機スルホン酸塩等を用いることができる。
上記有機スルホン酸塩の有機スルホン酸としては、例えば、メタンスルホン酸、エタンスルホン酸、メタノールスルホン酸、２−ヒドロキシエタン−１−スルホン酸（イセチオン酸）、フェノールスルホン酸、ナフトールスルホン酸等を挙げることができ、これらの１種もしくは２種以上を用いることができる。
錫めっき液中の錫塩の濃度は、金属濃度として１〜２００ｇ／Ｌが好ましく、より好ましくは２〜１００ｇ／Ｌである。
【０００８】
錯化剤は、銅、銅合金などの当該母材金属に配位して錯イオンを形成するものであり、下記の（１）〜（３）のキレート剤などを単用又は併用するのが好ましい。
（１）チオ尿素、及び１,３−ジメチルチオ尿素、トリメチルチオ尿素、ジエチルチオ尿素(例えば、１,３−ジエチル−２−チオ尿素)、Ｎ,Ｎ′−ジイソプロピルチオ尿素、アリルチオ尿素、アセチルチオ尿素、エチレンチオ尿素、１,３−ジフェニルチオ尿素、二酸化チオ尿素、チオセミカルバジドなどのチオ尿素誘導体。
（２）エチレンジアミン四酢酸（ＥＤＴＡ）、エチレンジアミン四酢酸二ナトリウム塩（ＥＤＴＡ・２Ｎａ)、ヒドロキシエチルエチレンジアミン三酢酸(ＨＥＤＴＡ)、ジエチレントリアミン五酢酸(ＤＴＰＡ)、トリエチレンテトラミン六酢酸(ＴＴＨＡ)、エチレンジアミンテトラプロピオン酸、エチレンジアミンテトラメチレンリン酸、ジエチレントリアミンペンタメチレンリン酸など。
（３）ニトリロ三酢酸（ＮＴＡ）、イミノジ酢酸（ＩＤＡ）、イミノジプロピオン酸（ＩＤＰ）、アミノトリメチレンリン酸、アミノトリメチレンリン酸五ナトリウム塩、ベンジルアミン、２−ナフチルアミン、イソブチルアミン、イソアミルアミン、メチレンジアミン、エチレンジアミン、テトラメチレンジアミン、ペンタメチレンジアミン、ヘキサメチレンジアミン、ジエチレントリアミン、テトラエチレンペンタミン、ペンタエチレンヘキサミン、ヘキサエチレンヘプタミン、シンナミルアミン、ｐ−メトキシシンナミルアミンなど。
上記錯化剤の添加量は、一般に５〜３００ｇ／Ｌである。
【０００９】
酸としては有機酸と無機酸が挙げられる。本発明においては、酸は特に限定されるものではなく、有機酸、無機酸のどちらも用いることができる。
有機酸としては、リンゴ酸、クエン酸、グリコール酸、乳酸、メタンスルホン酸、イセチオン酸、フェノールスルホン酸等が挙げられ、１種もしくは２種以上を使用することができる。
無機酸としては、任意の無機酸を用いることができ、硫酸、ホウフッ酸、塩酸、リン酸、硝酸などを用いることができる。
また、錫塩として有機スルホン酸塩を用いた場合、酸としても同じ有機スルホン酸を用いることが好ましく、塩化物、ホウフッ化物、硫酸塩等の無機酸塩を用いた場合は、酸として塩酸、ホウフッ酸、硫酸等、無機酸塩の酸と同じ無機酸を用いることが好ましい。
めっき液中の酸の含有量は、好ましくは３〜４００ｇ／Ｌであり、より好ましくは１０〜３００ｇ／Ｌである。
【００１０】
その他の成分としては、一般的な無電解錫めっき液に使用されているものであればどのようなものでも用いることができ、例えば界面活性剤、酸化防止剤等が挙げられる。
界面活性剤は、析出結晶を微細化しかつ均一化するという効果を奏する。
界面活性剤としては、ノニオン系、アニオン系、カチオン系、両性の各種の界面活性剤を用いることができる。
ノニオン系界面活性剤としては、Ｃ１〜Ｃ２０アルカノール、フェノール、ナフトール、ビスフェノール類、Ｃ１〜Ｃ２５アルキルフェノール、アリールアルキルフェノール、Ｃ１〜Ｃ２５アルキルナフトール、Ｃ１〜Ｃ２５アルコキシルリン酸（塩）、ソルビタンエステル、Ｃ１〜Ｃ２２脂肪族アミドなどにエチレンオキシド及び／又はプロピレンオキシドを２〜３００モル付加重合させたもの等が挙げられる。
アニオン系界面活性剤としては、アルキル硫酸塩、ポリオキシエチレンアルキルエーテル硫酸塩、ポリオキシエチレンアルキルフェニルエーテル硫酸塩、アルキルベンゼンスルホン酸塩、アルキルナフタレンスルホン酸塩等が挙げられる。
カチオン系界面活性剤としては、モノアルキルアミン類、ジアルキルアミン類、トリアルキルアミン類、ジメチルジアルキルアンモニウム塩、トリメチルアルキルアンモニウム塩等が挙げられる。
両性界面活性剤としては、カルボキシベタイン、スルホベタイン、イミダゾリンベタイン、アミノカルボン酸等が挙げられる。
界面活性剤の濃度は、０．０１〜１０ｇ／Ｌが好ましく、より好ましくは０．０５〜５ｇ／Ｌである。
【００１１】
酸化防止剤は、錫の酸化を防止するために添加するものであり、例えば次亜リン酸又はその塩、アスコルビン酸又はその塩、ヒドラジン等を用いることができる。
酸化防止剤の濃度は、１〜２００ｇ／Ｌが好ましい。
【００１２】
本発明の無電解錫めっき液は、水溶液であり、めっき浴温度は５〜９０℃が好ましく、より好ましくは３０〜８０℃である。５℃未満ではめっき皮膜の析出速度が低くなる。また、９０℃を超えると、錫の沈殿が見られるようになり、浴分解等の不具合が生じるようになる。
【００１３】
本発明の無電解錫めっき液を用いためっき方法としては、被めっき物をめっき液中に浸漬すればよい。
めっき処理時間は、１０〜１８００秒、好ましくは６０〜１０００秒である。１０秒未満では成膜性が低く、良好な特性がでない。また、１８００秒を超えると錫皮膜の析出速度がかなり落ちてしまうので、メリットがない。
得られる錫めっき層の膜厚は、好ましくは０．２〜０．８μｍ、さらに好ましくは０．３〜０．６μｍである。
【００１４】
被めっき物としては、表面に銅を有するものが挙げられ、銅ブロック、銅板、銅箔、表面に銅薄膜、銅層を有するものが好ましく、例えばプリント配線基板、ＴＡＢフィルムキャリア、ウェハ基板、コネクタ、リードフレーム等の電子部品が挙げられる。これらの電子部品は、表面に銅又は銅合金パターンを有するものが好ましい。
【００１５】
本発明のめっき物は、本発明の無電解錫めっき液に少なくとも表面に銅を有する被めっき物を浸漬して錫めっき層を形成した後、熱処理を行って得られる錫めっき皮膜を有するめっき物であって、温度１１０〜１３０℃の条件下で４５〜７５分熱処理を行い、得られる錫めっき皮膜中の純錫層の厚さが０．１００〜０．２５０μｍであり、残部は、銅と錫の金属間化合物からなることが好ましい。
純錫層の厚さが０．２５０μｍを超えるとウィスカーが成長するリスクが増大する恐れがあり、０．１００μｍ未満であると、金−錫結合がうまくできなくなる恐れがある。
ＴＡＢテープの１種であるＣＯＦ（Ｃｈｉｐ  ｏｎ  Ｆｉｌｍ）フィルムに実装されるドライバＩＣのボンディングパッド上には通常金めっきが施され金めっきバンプを形成している。その金めっきバンプがついたＩＣと回路形成された錫めっき皮膜を有するＣＯＦフィルムとを、画像認識カメラを用いて高精度に位置合わせしてから、ＩＣ素子を４００℃程度のボンディングツール治具で加熱加圧し、ＣＯＦテープ上にＡｕ−Ｓｎ熱圧着接合する。この際、純錫層が薄すぎるとボンディング不良などの問題が起こる可能性がある。
【００１６】
めっき層を熱処理することにより、純錫層以外に、銅との界面付近ではＣｕ6Ｓｎ5やＣｕ3ＳＮといった銅との金属間化合物層を形成する。
この時熱処理温度が低すぎると、純錫層が厚くなりすぎる可能性がある。時間をかければ所望の厚さに純錫層にすることができるが、その場合は生産性が上がらない。
また、熱処理温度が高すぎると、純錫層が薄くなりすぎる可能性がある。また、錫皮膜が酸化されることにより、金−錫接合がうまくできなくなる恐れがある。
本発明においては温度１１０〜１３０℃で４５〜７５分熱処理を行うことにより、めっき皮膜の厚さと純錫層の厚さを制御することができ、ウィスカーの発生を防ぐことができる。
【実施例】
【００１７】
以下実施例を挙げて本発明をさらに詳細に説明する。
実施例１〜１５、比較例１〜４
被めっき物としてポリイミドフィルム（３７．５μｍ厚のカプトンＥ（デュポン製））上にＮｉＣｒを１０ｎｍ＋Ｃｕを２００００Åスパッタ形膜したものに銅電気めっきを施し、厚さ９μｍの銅層を形成したものを用い、表１に記載の組成を有するめっき液（表１中めっき液を構成する化合物の単位はｇ／Ｌである）を作製、使用し、無電解錫めっきを行った。
その後、１２５℃で５５分間熱処理を行い、４０００時間室温大気下で放置した後、顕微鏡にてウェスカー発生状態を調べた。また、無電解めっきを行った後、１２０℃で７５分間熱処理を行い、４０００時間室温大気下で放置した後についても、顕微鏡にてウェスカー発生状態を調べた。評価は以下のように判断した。
○・・・５μｍ以上の長さのウィスカーは全く見られなかった。
△・・・５μｍ以上の長さのウィスカーが少数であるが観察された。
×・・・５μｍ以上の長さのウィスカーが多数観察された。
【００１８】
また、加熱処理後の錫めっき皮膜の厚み（全錫厚み）をＸＲＦ（蛍光Ｘ線式膜厚計）にて測定し、純錫層の厚みを電解式膜厚計にて測定した。ＸＲＦの測定で得られる膜厚（全錫厚み）は、純錫層・合金層に関係なくトータルで錫がすべて純錫と仮定した場合の膜厚であり、得られる膜厚は加熱前後で同じとなる。
結果を表１に示す。
【００１９】
【表１−１】
2011184746.tif 000002
【００２０】
【表１−２】
2011184746.tif 000003
【００２１】
実施例１〜１５においては、熱処理時間が従来の２〜３時間という条件より大幅に短縮化されているにも関わらず、ＴＡＢフィルムキャリアにおいて好適をされる純錫層の厚みを実現している。又、４０００時間室温大気下で放置した後にもウィスカーの発生は見られなかった。しかし、比較例においては純錫層の厚さも非常に厚く、又、ウィスカーの発生も散見された。